(57)【要約】 【課題】ホログラム記録媒体にデータを連続的且つ円滑に多重記録再生すること。【解決手段】記録時、記録再生制御装置２０は、ミラー１３の角度を第１の所定値に固定して得られた参照光２００と信号光１００の干渉縞をホログラム記録媒体１２上の全スタックに記録した後、ミラー１３の角度を第２の所定値に固定して上記動作を繰り返す。再生時も、同一の照射角度の参照光を用いてホログラム記録媒体１２上の全スタックからデータを再生した後、参照光の照射角度を変化させて上記動作を繰り返す。その際サーボ制御装置１９はホログラム記録媒体１２をスピンドルモータ１７により連続的に回転させるため、従来のようにStop and Goを繰り返す機械的制御を行う必要がなくなり、ホログラム記録媒体１２にデータを連続的且つ円滑に角度多重で記録再生することができる。【選択図】図１
2005310308.tif 000002
【特許請求の範囲】
【請求項１】
信号光と参照光の干渉縞をディスク型ホログラム記録媒体上の同一記録スタックに参照光の特性或いは照射角を変化させて多重記録するホログラム記録装置であって、
信号光とある特性或いはある照射角を有する参照光との干渉縞をホログラム記録媒体上の全てのスタック或いは設定された範囲のスタックに１個ずつ記録し終わると、前記参照光の特性或いは照射角を変化させて上記記録動作を繰り返す記録制御手段と、
前記ディスク型ホログラム記録媒体上の目標の記録スタックに前記記録制御手段による干渉縞の記録が行える位置に前記目標の記録スタックを移動させるサーボ制御手段と、
を具備することを特徴とするホログラム記録装置。
【請求項２】
前記サーボ制御手段は、前記記録制御手段による前記干渉縞の記録中は前記ディスク型ホログラム記録媒体を連続的に回転させる制御を行うことを特徴とする請求項１記載のホログラム記録装置。
【請求項３】
前記設定された範囲のスタックは前記ディスク型ホログラム記録媒体上の記録面に設定された分割領域（ゾーン）に属することを特徴とする請求項１記載のホログラム記録装置。
【請求項４】
前記参照光の照射角を変化させて前記ディスク型ホログラム記録媒体上の同一記録スタックにデータを多重記録する請求項１記載のホログラム記録装置。
【請求項５】
前記参照光の位相変調の仕方を変化させて前記ディスク型ホログラム記録媒体上の同一記録スタックにデータを多重記録する請求項１記載のホログラム記録装置。
【請求項６】
ディスク型ホログラム記録媒体上の複数の記録スタックに多重記録されたデータを再生するホログラム再生装置であって、
ある特性或いはある照射角を有する参照光をホログラム記録媒体上の全てのスタック或いは設定された範囲のスタックに順次照射して各スタックからデータを再生し終わると、前記参照光の特性或いは照射角を変化させて上記再生動作を繰り返す再生制御手段と、
前記ディスク型ホログラム記録媒体上の目標の記録スタックから前記再生制御手段によりデータが再生される位置に前記目標の記録スタックを移動させるサーボ制御手段と、
を具備することを特徴とするホログラム再生装置。
【請求項７】
前記サーボ制御手段は、前記再生制御手段による前記干渉縞の再生中は前記ディスク型ホログラム記録媒体を連続的に回転させる制御を行うことを特徴とする請求項６記載のホログラム再生装置。
【請求項８】
前記設定された範囲のスタックは前記ディスク型ホログラム記録媒体上の記録面に設定された分割領域（ゾーン）に属することを特徴とする請求項６記載のホログラム記録装置。
【請求項９】
ディスク型ホログラム記録媒体上の記録スタックには角度多重方式でデータが多重記録されていることを特徴とする請求項６記載のホログラム再生装置。
【請求項１０】
ディスク型ホログラム記録媒体上の記録スタックには位相変調方式でデータが多重記録されていることを特徴とする請求項６記載のホログラム再生装置。
【請求項１１】
信号光と参照光の干渉縞をディスク型ホログラム記録媒体上の同一記録スタックに参照光の特性或いは照射角を変化させて多重記録するホログラム記録方法であって、
ある特性の或いはある照射角を有する参照光と信号光を用いてディスク型ホログラム記録媒体上の全てのスタック或いは設定された範囲のスタックに順次アクセスして前記干渉縞を記録した後、参照光の特性の或いは照射角を変化させて上記の記録動作を繰り返すことを特徴とするホログラム記録方法。
【請求項１２】
前記設定された範囲のスタックは前記ディスク型ホログラム記録媒体上の記録面に設定された分割領域（ゾーン）に属することを特徴とする請求項１１記載のホログラム記録方法。
【請求項１３】
前記参照光の照射角を変化させて前記ディスク型ホログラム記録媒体上の同一記録スタックにデータを多重記録する請求項１１記載のホログラム記録方法。
【請求項１４】
前記参照光の位相変調の仕方を変化させて前記ディスク型ホログラム記録媒体上の同一記録スタックにデータを多重記録する請求項１１記載のホログラム記録方法。
【請求項１５】
ディスク型ホログラム記録媒体上の複数の記録スタックに多重記録されたデータを再生するホログラム再生方法であって、
ある特性の或いはある照射角を有する参照光をディスク型ホログラム記録媒体上の全てのスタック或いは設定された範囲のスタックに順次照射して各スタックからデータを全て再生した後、参照光の特性の或いは照射角を変化させて上記の再生動作を繰り返すことを特徴とするホログラム再生方法。
【請求項１６】
前記設定された範囲のスタックは前記ディスク型ホログラム記録媒体上の記録面に設定された分割領域（ゾーン）に属することを特徴とする請求項１５記載のホログラム再生方法。
【請求項１７】
ディスク型ホログラム記録媒体上の記録スタックには角度多重方式でデータが多重記録されていることを特徴とする請求項１５記載のホログラム再生方法。
【請求項１８】
ディスク型ホログラム記録媒体上の記録スタックには位相変調方式でデータが多重記録されていることを特徴とする請求項１５記載のホログラム再生方法。
【発明の詳細な説明】
【技術分野】
【０００１】
本発明は、ホログラム記録再生装置及び方法に係り、特にホログラム記録媒体へのデータの多重記録再生の順序に関する。
【背景技術】
【０００２】
近年、ホログラフィック技術は、次世代、次々世代光ディスクと競合する強力なストレージの候補として注目を集めているホログラフィックメモリの実用化へ向けて、急速に開発が進められており、ホログラム技術を利用して大容量データの記録再生を行うホログラム記録再生システムが提案されている（例えば、非特許文献１参照）。
【０００３】
このようなホログラム記録再生システムでは、記録密度向上のために多重記録という方法が用いられている。これはホログラム記録媒体の同一の記録エリアに多数の独立なデータページを記録するものであり、代表的な多重記録方式としては、角度多重記録、シフト多重記録、位相変調多重記録、スペックル多重などが知られている。
【０００４】
図６は角度多重記録方式のホログラム記録再生装置の一般的な構成を示した概略図である。レーザー光源１から出射された干渉性を持つレーザー光は、ＮＤフィルター２によりその強度が調整されてから半波長板３により偏光面を調整された後、ビームエクスパンダ４により平行光になる。この平行光となったレーザー光はシャッター５を介してミラー６に入射されて光路を変更されてビームスプリッタ７に入射され、信号光１００と参照光２００に分岐される。
【０００５】
信号光１００はシャッター８を介してミラー９に入射され、このミラー９により進路を変更されて空間光変調器１０に入射される。信号光１００はデータページを表示した空間光変調器１０で強度変調され、この変調された信号光１００が信号光光学系１１によりホログラム記録媒体１２に集光される。一方、参照光２００は反射面の角度が変更可能なミラー１３に入射され、ある角度で反射されて光路が変更された後、４ｆ系の参照光学系１４に入射され、この参照光学系１４によりホログラム記録媒体１２に集光される。これにより、ホログラム記録媒体１２内において、信号光１００と参照光２００が重ね合わされ、その結果形成される干渉縞（ホログラム）がホログラム記録媒体１２に記録される。
【０００６】
その際に、空間光変調器１０に表示されるデータページが変更される度に、ミラー１３の反射面の角度を変えると、参照光２００のホログラム記録媒体１２に入射される角度が変わり、ホログラム記録媒体１２の同一記録エリア（スタック）に複数枚のデータベージが多重記録される。
【０００７】
ホログラム記録媒体１２に記録されたデータを再生するには、参照光２００と同一の再生用参照光（ここではこれを参照光２００と称する）をホログラム記録媒体１２に照射することより生じる回折光を再生光光学系１５に入射し、この回折光を再生光光学系１５によって撮像装置１６に結像することにより行われる。
【０００８】
撮像装置１６は受光した回折光を光電変換し、得られた受光信号は解析されて画像データとして再生される。この再生時に、記録時と同様に参照光２００のホログラム記録媒体１２に対する入射角度をミラー１３を回転させることによって変えることにより、ひとつの記録エリアに多重記録されている画像データを順次再生することができる。
【０００９】
図７は角度多重で記録されたデータを再生する従来からの順序を説明する図である。ホログラム記録媒体１２のある記録領域（スタック１と呼ぶ）に角度多重されたホログラムを再生用参照光２００の照射角度（１〜５）を変えて順番に再生し、全て読み出した後、例えばホログラム記録媒体１２を回転させて次のスタック２に移動し、ここで、再生用参照光２００の照射角度（７〜１２）を変えて順番に再生するという動作を繰り返す。
【００１０】
また、位相変調多重方式では、光学部品を全て固定したままで、参照光を空間光変調器で光位相変調して様々な位相を有する参照光を生成し、各参照光毎に信号光と干渉させてホログラム記録媒体の同一記録領域にデータを多重記録する方法である。この位相変調多重方式で記録されたホログラム記録媒体に記録時と同一の位相を有する参照光を順次照射することにより、ひとつの記録エリアに多重記録されている画像データを順次再生することができる。この場合の再生順序は、参照光の照射角度は一定として、参照光の光位相変調の仕方を記録時と同様に変えて照射することにより同一記録領域に多重記録されたデータを順番に再生する。
【非特許文献１】IBM J.RES DEVELOP VOL 44 NO.3 MAY 2000 「Holographic data storage」
【発明の開示】
【発明が解決しようとする課題】
【００１１】
しかしながら、上記のようにある記録領域に多重記録されているデータを参照光の照射角度や位相変調を変化させて順番に読み出し、その後、次の記録領域から同様にデータを順番に読み出す再生方法では、特に角度多重方式の場合はホログラム記録媒体を回転させる記録領域の移動と、参照光の角度変化という２つの異なる機械的動作が短い周期で繰り返されるため、例えば動画像などを連続して読み出す場合、機械的にＳｔｏｐ  ａｎｄ  Ｇｏを繰り返し行う制御しければならず、ホログラム記録媒体の慣性などを考慮すると、このような機械的制御を円滑に行うことは難しく、そのためデータを連続的且つ円滑に読み出すことが非常に困難となる。このような問題はデータをホログラム記録媒体に例えば位相変調多重で記録する際にも同様に生じる。
【００１２】
本発明は前記事情に鑑み案出されたものであって、本発明の目的は、ホログラム記録媒体にデータを連続的且つ円滑に多重記録再生することができるホログラム記録再生装置及びホログラム記録再生方法を提供することにある。
【課題を解決するための手段】
【００１３】
本発明は上記目的を達成するため、信号光と参照光の干渉縞をディスク型ホログラム記録媒体上の同一記録スタックに参照光の特性或いは照射角を変化させて多重記録するホログラム記録装置であって、信号光とある特性或いはある照射角を有する参照光との干渉縞をホログラム記録媒体上の全てのスタック或いは指定されたスタックに１個ずつ記録し終わるとし、参照光の特性或いは照射角を変化させて上記記録動作を繰り返す記録制御手段と、前記ディスク型ホログラム記録媒体上の目標の記録スタックに前記記録制御手段による干渉縞の記録が行える位置に前記目標の記録スタックを移動させるサーボ制御手段とを具備することを特徴とする。
【００１４】
また、本発明は、ディスク型ホログラム記録媒体上の複数の記録スタックに多重記録されたデータを再生するホログラム再生装置であって、ある特性或いはある照射角を有する参照光をホログラム記録媒体上の全てのスタック或いは設定された範囲のスタックに順次照射して各スタックからデータを再生し終わると、前記参照光の特性或いは照射角を変化させて上記再生動作を繰り返す再生制御手段と、前記ディスク型ホログラム記録媒体上の目標の記録スタックから前記再生制御手段によりデータが再生される位置に前記目標の記録スタックを移動させるサーボ制御手段とを具備することを特徴とする。
【００１５】
また、本発明は、信号光と参照光の干渉縞をディスク型ホログラム記録媒体上の同一記録スタックに参照光の特性或いは照射角を変化させて多重記録するホログラム記録方法であって、ある特性の或いはある照射角を有する参照光と信号光を用いてディスク型ホログラム記録媒体上の全てのスタック或いは設定された範囲のスタックに順次アクセスして前記干渉縞を記録した後、参照光の特性の或いは照射角を変化させて上記の記録動作を繰り返すことを特徴とする。
【００１６】
また、本発明は、ディスク型ホログラム記録媒体上の複数の記録スタックに多重記録されたデータを再生するホログラム再生方法であって、ある特性の或いはある照射角を有する参照光をディスク型ホログラム記録媒体上の全てのスタック或いは設定された範囲のスタックに順次照射して各スタックからデータを全て再生した後、参照光の特性の或いは照射角を変化させて上記の再生動作を繰り返すことを特徴とする。
【００１７】
このように本発明では、ある特性或いはある照射角を有する参照光を用いてディスク型ホログラム記録媒体上の全てのスタック或いは設定された範囲のスタックに対してデータの記録再生を行った後、前記参照光を変化させて上記の記録動作を繰り返すため、ディスク型ホログラム記録媒体を連続回転させた状態でデータを記録再生することができ、機械的なＳｔｏｐ  ａｎｄ  Ｇｏを繰り返す制御を低減してデータを連続的且つ円滑に記録再生することができる。
【発明の効果】
【００１８】
本発明によれば、ある特性或いはある照射角を有する参照光を用いてディスク型ホログラム記録媒体上の全てのスタック或いは設定された範囲のスタックに対してデータの記録再生を行った後、参照光の特性及び照射角を変化させて上記の記録動作を繰り返すことにより、機械的なＳｔｏｐ  ａｎｄ  Ｇｏを繰り返す制御を低減してデータを連続的且つ円滑に記録再生することができる。
また、回転しているホログラム記録媒体から角度多重方式で記録されたデータを連続的に読み出すことが容易になるため、転送レートを増大させることができる。
また、従来のようにＳｔｏｐ  ａｎｄ  Ｇｏを繰り返した場合には機械的に摩耗が蓄積されるため、機械精度の劣化、また部品自体の破壊なども起こりやすくなるが、機械的制御が円滑な分、機械的な耐久性及び精度を保持することができ、機械精度に起因したＢＥＲの劣化を避けることができる。
また、第１の照射角の参照光で記録されたホログラムと第２の照射角の参照光で記録されたホログラムとの間の記録時間間隔が長くなるため、前に書かれたホログラムが次に書かれるホログラムの生成により阻害されることがなくなり、再生データのＳ／Ｎを向上させることができる。
【発明を実施するための最良の形態】
【００１９】
ホログラム記録媒体にデータを連続的且つ円滑に多重記録再生する目的を、ある特性或いはある照射角を有する参照光を用いてディスク型ホログラム記録媒体上の全てのスタック或いは設定された範囲のスタックに対してデータの記録再生を行った後、参照光の特性及び照射角を変化させて上記の記録動作を繰り返すことによって実現する。
【実施例１】
【００２０】
図１は、本発明の第１の実施の形態に係るホログラム記録再生装置の要部の構成を示した概略図である。但し、従来例と同様の部分には同一符号を付して説明する。ホログラム記録再生装置は、信号光１００を強度変調する空間光変調器１０、信号光光学系のレンズ１１、ホログラムを記録するディスク型のホログラム記録媒体１２、参照光２００の進路を変更する反射面角度可変型のミラー１３、参照光光学系の４ｆ系レンズ１４−１、１４−２、再生光光学系のレンズ１５、再生画像を光電変換して再生データを得る撮像装置１
６、ホログラム記録媒体１２を回転させるスピンドルモータ１７、ホログラム記録媒体１２を半径方向に移動させる送り機構１８、スピンドルモータ１７及び送り機構１８を駆動制御するサーボ制御装置１９、ホログラム記録再生に伴うホログラム記録媒体１２のサーボ情報を生成すると共に、ミラー１３の角度を制御する記録再生制御装置２０を有し、角度多重方式によりホログラム記録媒体１２にホログラムを多重記録再生する。
【００２１】
次に本実施の形態の再生動作について図２のフローチャートを参照して説明する。まず、ホログラム記録媒体１２には図３に示すように例えば３個のスタック１〜スタック３に角度多重方式によりデータが多重記録されているものとする。
【００２２】
記録再生制御装置２０は再生動作が開始されると（ステップＳ１）、ミラー１３の反射面を最初の所定角度（図３では符号１、２、３の角度で参集光２００がホログラム記録媒体１２に入射される角度）に制御する（ステップＳ２）と共に、参照光２００が目標のスタックを照射するようにサーボ制御装置１９を介して、スピンドルモータ１７或いは送り機構１８を動作させ、目標のスタック（ここではスタック１）にアクセスできるようにする（ステップＳ３）。その後、参照光２００を図３の符号１で示した角度でスタック１を照射すると、記録時の参照光２００がこの角度で多重記録されたホログラムの回折光３００が発生し、この回折光３００をレンズ１５で撮像装置１６に結像させてデータを再生する（ステップＳ４）。
【００２３】
次に再生指定された前記スタックを今回設定した参照光の角度で一度ずつ再生したかどうかを判定し、そうでないならば、ステップＳ３に戻り、次に再生すべき目標スタック（ここではスタック２）に移動する（これは上記と同様にスピンドルモータ１７と送り機構１８を駆動して行う）。その後、参照光２００を図３の符号１で示した角度でスタック２を照射すると、記録時の参照光２００がこの角度で多重記録されたホログラムの回折光３００が発生し、この回折光３００をレンズ１５で撮像装置１６に結像させてデータを再生する（ステップＳ４）。
【００２４】
以降同様で、再生指定された前記スタックを今回設定した参照光の角度で一度ずつ再生するまでステップＳ３〜Ｓ５の処理を繰り返し、全てのスタックを今回設定した参照光の角度で一度ずつ再生した場合（ここではスタック１から３）、ステップＳ６で参照光２００の照射角度を指定された全ての角度に変化させて再生したかどうかを判断する。その結果全ての角度に変化させて再生していない場合はステップＳ２の処理に戻って、ミラー１３の反射面の角度を次の所定角度に制御した後（図３では符号４、５、６の角度で参集光２００がホログラム記録媒体１２に入射される角度）、目標スタック（ここではスタック１）に移動する。以降動作は上記と同様で、今回、再生指定されたスタックを今回設定した参照光の角度で一度ずつ再生するまで、ステップＳ３からステップＳ５の処理を繰り返す。その後、ステップＳ６で今回指定された全ての角度で参照光をスタックに照射し、それにより再生指定された全てのスタックからデータを読み出すまで、上記ステップＳ１からステップＳ６の処理を行い、全てのデータを読み出すと再生動作を終了する（ステップＳ７）。なお、図３では説明のため３個のスタック１〜３のみを示したが、実際にはホログラム記録媒体１２上に多数のスタックが敷き詰められている。この例の再生順序では再生のための参照光２００の角度を変化させる回数が格段に減るため、従来方法に比較してホログラム記録媒体１２からの再生がスムーズに行えることになる。
【００２５】
本実施の形態によれば、再生用のある角度の参照光２００でホログラム記録媒体１２を照射してあるスタック（例えばスタック１）のホログラムを再生した後に、この参照光２００により隣のスタック（例えばスタック２）を照射してホログラムを読み、以下同様に各スタックをこの参照光２００で照射して記録されているホログラムを再生していき、読み出し指定された全てのスタックのデータを再生した後に、再生用の参照光２００の照射角度を変えて同様な再生を繰り返す再生順序により、再生用の参照光２００をある角度に固定してデータを再生する期間を長くすることができ、その間の機械的制御はホログラム記録媒体１２を連続的に回転させ、必要に応じて送り機構１８を動作させるだけで済むため、所謂、Ｓｔｏｐ  ａｎｄ  Ｇｏを減らすことができるため、角度多重で記録されたホログラム記録媒体１２のデータを連続的且つ円滑に読み出すことができる。
【００２６】
特にホログラム記録媒体１２を連続的に回転させると再生データがぶれる問題が生じるが、あるスタックからデータを読み出すタイミングで読み出し用の参照光２００をパルスレーザーなどを用いてフラッシュ的に照射すれば、ぶれなくデータを再生することができる。また、ホログラム記録媒体１２にはホログラムがフーリエ変換されて記録されているため、スタックが移動しても画像の移動にはならず、その点からもぶれが生じにくいと言える。
【００２７】
また、上記実施の形態ではホログラム記録媒体１２に角度多重で記録されたデータを再生する際の再生順序について述べたが、ホログラム記録媒体１２に角度多重でデータを記録する際の順序も、再生順序と同様に、参照光２００をある角度でホログラム記録媒体１２に照射して信号光１００と干渉させて生じるホログラムをあるスタック（例えばスタック１）に記録した後に、隣のスタック（例えばスタック２）に同一角度の参照光を照射して信号光１００と干渉させて生じるホログラムを記録し、以下同様に違うスタックに同じ角度の参照光を用いてホログラムを記録していき、全てのスタックにデータを記録した後に、参照光２００の照射角度を変えて同様な記録を繰り返す記録順序により、機械的な制御負担を軽くして角度多重でデータを連続的且つ円滑に記録することができる。
【００２８】
また、回転しているホログラム記録媒体１２から角度多重方式で記録されたデータを連続的に読み出すことが容易になるため、転送レートの増加が見込める。また、従来のようにＳｔｏｐ  ａｎｄ  Ｇｏを繰り返した場合には機械的に摩耗が蓄積するため、機械精度の劣化、また部品自体の破壊なども起こりやすくなると考えられるが、その点を考えても本方式は有利であると考えられる。また上記のような理由で機械精度を高く保てるため、機械精度に起因したＢＥＲの劣化を避けることができる。
【００２９】
また。本方式の場合、同一箇所に角度多重されるホログラムについて考えると、第１の角度でホログラムが書かれてから第２の角度（以下同様）で書かれるまでの時間が長くなるが、信号光１００と参照光２００のホログラム（干渉縞）が露光されてから実際にホログラムが記録媒体１２に記録されるまでにはある程度の時間が必要なことを考慮すると、本実施の形態の記録順序では、一つ目のホログラムの屈折率分布が安定した後に次のホログラムが書かれるので、前に書かれたホログラムが次に書かれるホログラムの生成により阻害されることがなくなり、その観点からもＳ／Ｎのよい再生像が得られることが期待できる。
【実施例２】
【００３０】
図４は、本発明の第２の実施の形態に係るホログラム記録再生方法を説明するためのホログラム記録媒体を示した平面図である。但し、第１の実施の形態と同様の部分には同一符号を付して説明する。本実施の形態のホログラム記録媒体１２は記録再生領域が第１ゾーン、第２ゾーンというように複数のゾーンに分割されている（物理的に分割されているわけではなく記録再生規格で分割されている）。図４では便宜上２個のゾーンを図示したが実際はｎ個のゾーンに分割されているものとする。
【００３１】
次に本実施の形態の動作について説明する。本実施の形態では、各ゾーンに対して第１の実施の形態と同様の記録順序または再生順序を適用する。例えば、図５（Ａ）に示すように、まず、再生用参照光を第１の角度でホログラム記録媒体１２に照射して第１のゾーンの全てのスタックからデータを再生し、次に再生用参照光を第２の角度でホログラム記録媒体１２に照射して第１のゾーンの全てのスタックからデータを再生するということを繰り返し、再生用参照光を全ての角度で変化させて第１のゾーンの全てのスタックからデータを読み出すと、図５（Ｂ）に示すように次の第２のゾーンに移って上記の動作を繰り返す。これら各ゾーンの再生順は必ずしも、第１のゾーンから第ｎのゾーンまで順番に再生する必要はなく、第１のゾーンを再生した後は第３のゾーンを再生し、次に第８のゾーンを再生するなど必要に応じて再生することができる。なお、記録順序も同様で、ホログラム記録媒体１２の第１のゾーンを第１の角度で照射する参照光を用いて、この第１のゾーンにデータを記録し、記録する場所がなくなったら第１のゾーンを第２の角度で照射する参照光を用いて同一の記録領域にデータを多重記録する。こうして、角度を変化させた参照光を全て用いて第１のゾーンへのデータの角度多重方式による多重記録が終了すると、別のゾーンに同様の方法で多重記録する。
【００３２】
本実施の形態によれば、各ゾーンのサイズがある程度大きければ、第１の実施の形態と同様にＳｔｏｐ  ａｎｄ  Ｇｏを繰り返す機械的な制御が低減されるため、角度多重で記録されたホログラム記録媒体１２からデータを連続的且つ円滑に再生することができると共に、ホログラム記録媒体１２にデータを連続的且つ円滑に角度多重で記録することができる。
【００３３】
また、本実施の形態ではディスク型のホログラム記録媒体１２を同心円状のゾーンに分割しているが、ゾーンの分割の仕方はこれに限定されるものではないが、スムーズな再生のためには基本的に連続的に同じ角度で読み出すゾーンを大きく取った方が有利である。但し、ホログラム記録媒体の一部だけに記録、再生し、後で他の部分を使う方式（追記可能型）の場合には、記録ゾーンはキュアー（Cure）等の後処理をしてしまうため多重度が低いまま固定され記録密度が下がるので、この場合はデータ量に応じたゾーンサイズを設定することが効率的である。
【００３４】
尚、本発明は上記実施の形態に限定されることなく、その要旨を逸脱しない範囲において、具体的な構成、機能、作用、効果において、他の種々の形態によっても実施することができる。例えば上記実施の形態では角度多重でデータをホログラム記録媒体１２に記録再生する際の手順について説明したが、ホログラム記録媒体１２にデータを多重記録する方式に拘らず、本発明の記録再生手順を採用すれば同様の効果がある。例えば位相変調多重で記録されたデータを再生するには、再生用の位相変調された参照光でホログラム記録媒体を照射してあるスタックのホログラムを読み出した後に、隣のスタックに前記同一の位相変調された参照光２００を照射してホログラムを読み、以下同様に前記同一の位相変調された参照光で各スタックからホログラムを再生していき、読み出し指定された全てのスタックのデータを再生した後に、再生用の参照光２００の位相変調の仕方を変えて同様な再生を繰り返せばよい。
【図面の簡単な説明】
【００３５】
【図１】本発明の第１の実施の形態に係るホログラム記録再生装置の要部の構成を示した概略図である。
【図２】図１に示したホログラム記録再生装置の再生動作を示したフローチャートである。
【図３】図１に示したホログラム記録再生装置の再生動作を説明する斜視図である。
【図４】本発明の第２の実施の形態に係るホログラム記録再生方法を説明するためのホログラム記録媒体を示した平面図である。
【図５】図４に示したホログラム記録再生装置の再生動作を説明する図である。
【図６】角度多重記録方式のホログラム記録再生装置の従来構成を示した概略図である。
【図７】角度多重で記録されたデータを再生する従来の順序を説明する図である。
【符号の説明】
【００３６】
１０……空間光変調器、１１、１４−１、１４−２、１５……レンズ、１２……ホログラム記録媒体、１３……ミラー、１６……撮像装置、１７……スピンドルモータ、１８……送り機構、１９……サーボ制御装置、２０……記録再生制御装置。
【図１】
2005310308.tif 000003
【図２】
2005310308.tif 000004
【図３】
2005310308.tif 000005
【図４】
2005310308.tif 000006
【図５】
2005310308.tif 000007
【図６】
2005310308.tif 000008
【図７】
2005310308.tif 000009